(57)【要約】単相水性溶液を用いて高分子フィルム、例えば、食品包装フィルムから１つ又は複数のコーティングを除去するための組成物、処理混合物、及びキットが提供される。単相水性溶液は、水と、無機塩基組成物と、安定した過酸化物組成物及び単糖類塩のうちの１つ又は複数と、界面活性剤組成物を含んでいてもよい。【選択図】なし【特許請求の範囲】
【請求項１】
高分子基体から１つ又は複数のコーティングを除去するための単相水性溶液であって、
水と、
無機塩基組成物と、
安定した過酸化物組成物及び単糖類塩のうちの１つ又は複数と、
界面活性剤組成物と、
を含む、単相水性溶液。
【請求項２】
前記無機塩基組成物が、約０．０１２５Ｍ〜約０．６２５Ｍ、約０．０２５Ｍ〜約０．５Ｍ、約０．０２５Ｍ〜約０．３７５Ｍ、約０．０２５Ｍ〜約０．２５Ｍ、約０．０２５Ｍ〜約０．１２５Ｍ、及び約０．０６２５Ｍのうちの１つ又は複数のモル／リットル（Ｍ）の水酸化物濃度を確立するのに効果的な量で存在する、請求項１に記載の単相水性溶液。
【請求項３】
前記無機塩基組成物が、約０．３７５％の、水に対する重量パーセント濃度（ｗ／ｗ）の水酸化ナトリウムを含む、請求項１に記載の単相水性溶液。
【請求項４】
前記安定した過酸化物組成物が過炭酸ナトリウムを含む、請求項１に記載の単相水性溶液。
【請求項５】
前記安定した過酸化物組成物が、約９．５５ｍＭ〜約４７８ｍＭのモル濃度を有する過酸化物濃度を提供するのに効果的な量で存在する、請求項１に記載の単相水性溶液。
【請求項６】
前記界面活性剤組成物が１つ以上のアルキルポリグリコシドを含み、前記１つ以上のアルキルポリグリコシドにおける各アルキルが、ココナッツ油又はパーム核油の脂肪アルコール誘導体及びＣ８〜Ｃ１６アルキルのうちの１つ又は複数から独立して誘導される、請求項１に記載の単相水性溶液。
【請求項７】
前記界面活性剤組成物が、少なくとも１つのアルキルポリグリコシド及び少なくとも１つのアルコキシル化アルコールを含む、請求項１に記載の単相水性溶液。
【請求項８】
Ｄ−グルコン酸ナトリウムを含む前記単糖類塩をさらに含む、請求項１に記載の単相水性溶液。
【請求項９】
前記界面活性剤組成物が、約０．０１％〜約０．５％、約０．０２５％〜約０．４％、約０．０５％〜約０．３％、約０．０７５％〜約０．２５％、約０．１％〜約０．２％、及び約０．１５％のうちの１つ又は複数の水に対する重量百分率（ｗ／ｗ）で存在する、請求項１に記載の単相水性溶液。
【請求項１０】
単相水性溶液を用いて高分子基体から１つ又は複数のコーティングを除去するための方法１００であって、
水と、無機塩基組成物と、安定した過酸化物組成物及び単糖類塩のうちの１つ又は複数と、界面活性剤組成物とを含む単相水性溶液を提供すること１０２、
１つ又は複数のコーティングを含む高分子基体を提供すること１０４、及び
前記高分子基体から１つ又は複数のコーティングの一部を除去するのに効果的な条件下で処理混合物を形成するべく前記単相水性溶液と前記高分子基体を接触させること１０６、
を含む、方法。
【請求項１１】
前記高分子基体から１つ又は複数のコーティングの一部を除去するのに効果的な条件が、前記処理混合物を約６０℃〜約１００℃の温度で加熱することを含む、請求項９に記載の方法。
【請求項１２】
前記高分子フィルムから１つ又は複数のコーティングの一部を除去するのに効果的な条件が、最初のコーティング量を判断すること、前記処理混合物を加熱及び攪拌すること、前記最初のコーティング量の約のパーセンテージよりも少ない処理コーティング量を判断すること、及び前記処理コーティング量が前記最初のコーティング量の約のパーセンテージよりも少ないと判断すると前記高分子フィルムを回収することを含み、前記最初のコーティング量のパーセンテージが、約２０％、約１５％、約１４％、約１３％、約１２％、約１１％、約１０％、約９％、約８％、約７％、約６％、約５％、約４％、約３％、約２％、又は約１％のうちの１つ又は複数である、請求項９に記載の方法。
【請求項１３】
前記水を、前記高分子基体との約４：１〜約３２：１、約８：１〜約２４：１、約１０：１〜約２０：１、約１２：１〜約１８：１、約１４：１〜約１８：１、約１５：１〜約１７：１、及び約１６：１のうちの１つ又は複数の重量比で提供することを含む、請求項９に記載の方法。
【請求項１４】
前記無機塩基組成物が水酸化ナトリウムを含む、請求項９に記載の方法。
【請求項１５】
前記安定した過酸化物組成物が過炭酸ナトリウムを含む、請求項９に記載の方法。
【請求項１６】
前記界面活性剤組成物が１つ以上のアルキルポリグリコシドを含み、前記１つ以上のアルキルポリグリコシドにおける各アルキルが、ココナッツ油又はパーム核油の脂肪アルコール誘導体及びＣ８〜Ｃ１６アルキルのうちの１つ又は複数から独立して誘導される、請求項９に記載の方法。
【請求項１７】
前記界面活性剤組成物が、少なくとも１つのアルキルポリグリコシド及び少なくとも１つのアルコキシル化アルコールを含む、請求項９に記載の方法。
【請求項１８】
前記１つ又は複数のコーティングの除去にわたって前記処理混合物を監視することと、前記高分子基体の着色が生じる前に、前記単相水性溶液、前記無機塩基組成物、前記過酸化物組成物、前記単糖類塩、及び前記界面活性剤組成物のうちの１つ又は複数と接触している状態から前記高分子基体を回収することをさらに含む、請求項９に記載の方法。
【請求項１９】
前記高分子基体が、ポリエチレン（ＰＥ）、低密度ポリエチレン（ＨＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレート−グリセロール変性物（ＰＥＴ−Ｇ）、ポリ乳酸（ＰＬＡ）、及びポリスチレン（ＰＳ）のうちの１つ又は複数を含む、請求項９に記載の方法。
【請求項２０】
高分子基体から１つ又は複数のコーティングを除去するための単相水性溶液を作製するためのキットであって、
無機塩基組成物、安定した過酸化物組成物、単糖類塩、及び界面活性剤組成物と、
指示と、
を含み、前記指示が、前記単相水性溶液を形成するべく前記無機塩基組成物、前記安定した過酸化物組成物、前記単糖類塩、及び前記界面活性剤組成物を水と組み合わせるようにユーザを誘導する、
キット。
【請求項２１】
前記指示が、前記処理混合物を加熱すること、前記処理混合物を攪拌すること、前記１つ又は複数のコーティングの一部の除去後に前記高分子基体を回収すること、又は前記単相水性溶液の少なくとも一部を回収することのうちの少なくとも１つによって、前記１つ又は複数のコーティングを含む前記高分子フィルムから前記１つ又は複数のコーティングを除去するように前記ユーザをさらに誘導する、請求項１９に記載のキット。
【発明の詳細な説明】
【技術分野】
【０００１】
関連出願への相互参照
本願は、２０１４年８月１９日に出願された米国特許仮出願第６２／０３９，２０３号及び２０１５年２月２１日に出願された米国特許仮出願第６２／１１９，１６１号の優先権を主張するものであり、引用によりそれぞれの全体を本明細書に組み入れる。
【発明の概要】
【発明が解決しようとする課題】
【０００２】
リサイクルプロセスで生成されるプラスチックリグラインド又は細断されたフィルムなどの高分子基体は、望ましくないコーティングを含む場合がある。例えば、コーティングは、例えば食品包装、ＣＤ／ＤＶＤなどのインク、ラベル、接着剤、金属フィルムなどを含む場合がある。プラスチック製品を製造するための再生原料のような基体のさらなる使用の前に望ましくないコーティングを除去するべくこうした高分子基体を処理することが望ましい。既存のプロセスは、コーティングを除去するのに苛性の強い溶液、高温及び／又は高圧、又は高価な試薬を用いる。
【０００３】
本願は、高分子基体からのコーティングの除去は困難な試みである場合があると理解している。
【課題を解決するための手段】
【０００４】
一実施形態では、単相水性溶液が提供される。単相水性溶液は、高分子基体から１つ又は複数のコーティングを除去するために用いられてもよい。単相水性溶液は、水を含んでいてもよい。単相水性溶液は、無機塩基組成物を含んでいてもよい。単相水性溶液は、安定した過酸化物組成物及び単糖類塩のうちの１つ又は複数を含んでいてもよい。単相水性溶液は、界面活性剤組成物を含んでいてもよい。
【０００５】
別の実施形態では、処理混合物が提供される。処理混合物は、高分子基体を含んでいてもよい。高分子基体は、１つ又は複数のコーティングを含んでいてもよい。処理混合物は、単相水性溶液を含んでいてもよい。単相水性溶液は、水を含んでいてもよい。単相水性溶液は、無機塩基組成物を含んでいてもよい。単相水性溶液は、安定した過酸化物組成物及び単糖類塩のうちの１つ又は複数を含んでいてもよい。単相水性溶液は、界面活性剤組成物を含んでいてもよい。
【０００６】
一実施形態では、キットが提供される。キットは、高分子基体から１つ又は複数のコーティングを除去するのに効果的な単相水性溶液を作製するためのものであってもよい。キットは、無機塩基組成物、安定した過酸化物組成物、単糖類塩、及び界面活性剤組成物のうちの１つ又は複数を含んでいてもよい。キットは、指示を含んでいてもよい。指示は、単相水性溶液を形成するべく無機塩基組成物、安定した過酸化物組成物、単糖類塩、及び界面活性剤組成物のうちの１つ又は複数を水と組み合わせるようにユーザを誘導してもよい。
【０００７】
種々の実施形態において、単相水性溶液を用いて高分子基体から１つ又は複数のコーティングを除去するための方法が提供される。方法は、単相水性溶液を提供することを含んでいてもよい。単相水性溶液は、水と、無機塩基組成物、安定した過酸化物組成物、単糖類塩、及び界面活性剤組成物のうちの１つ又は複数とを含んでいてもよい。方法は、高分子基体を提供することを含んでいてもよい。高分子基体は、１つ又は複数のコーティングを含んでいてもよい。方法は、高分子基体から１つ又は複数のコーティングの一部を除去するのに効果的な条件下で処理混合物を形成するべく単相水性溶液と高分子基体を接触させることを含んでいてもよい。
【０００８】
本明細書に組み込まれ、その一部をなす添付図は、例示的な方法及び装置を例示しており、例示的な実施形態を単に例示するのに用いられる。
【図面の簡単な説明】
【０００９】
【図１】例示的な方法を説明する流れ図である。
【図２】例示的なキットのブロック図である。
【図３Ａ】実施例１〜実施例５に対応する組成、反応パラメータ、及び結果の表である。
【図３Ｂ】実施例１〜実施例５に対応する組成、反応パラメータ、及び結果の表である。
【図４Ａ】実施例６に対応する組成、反応パラメータ、及び結果の表である。
【図４Ｂ】実施例６に対応する組成、反応パラメータ、及び結果の表である。
【図５】実施例７に対応する組成、反応パラメータ、及び結果の表である。
【図６】実施例８に対応する組成、反応パラメータ、及び結果の表である。
【発明を実施するための形態】
【００１０】
本願は、高分子基体、例えば、食品包装フィルム、例えばＣＤ及びＤＶＤからのメタライズドコーティング、プラスチック容器、おむつなどのパーソナルケアアイテムのフィルムなどから１つ又は複数のコーティングを除去するための組成物、処理混合物、キット、及び方法に関する。
【００１１】
種々の実施形態において、単相水性溶液が提供される。単相水性溶液は、高分子基体から１つ又は複数のコーティングを除去するために用いられてもよい。単相水性溶液は、単相水性溶液の少なくとも約９０％、約９１％、約９２％、約９３％、約９４％、約９５％、約９６％、約９７％、約９８％、約９９％、約９９．１％、約９９．２％、約９９．２５％、約９９．３％、又は約９９．３５％のうちの１つ又は複数の重量パーセント（ｗ／ｗ）の水、例えば、少なくとも約９５重量％の水を含んでいてもよい。単相水性溶液は、無機塩基組成物を含んでいてもよい。単相水性溶液は、安定した過酸化物組成物及び単糖類塩のうちの１つ又は複数を含んでいてもよい。単相水性溶液は、界面活性剤組成物を含んでいてもよい。
【００１２】
種々の実施形態は、本明細書において「含む（ｉｎｃｌｕｄｉｎｇ）」という用語、又は請求項において「含む（ｃｏｍｐｒｉｓｉｎｇ）」という用語及びそれらの文法的変異形を用いる場合がある。こうした各実施形態に関して、「含む（ｃｏｍｐｒｉｓｉｎｇ）」という用語が「〜から本質的になる」及び「〜からなる」で置き換えられる、対応するさらなる実施形態が明白に考慮される。例えば、単相水性溶液は、水、無機塩基組成物、安定した過酸化物組成物及び／又は単糖類塩、及び界面活性剤組成物から本質的になってもよい。さらに、例えば、単相水性溶液は、水、無機塩基組成物、安定した過酸化物組成物及び／又は単糖類塩、及び界面活性剤組成物からなってもよい。
【００１３】
或る実施形態では、１つ又は複数のコーティングは、例えば、塗料、インク、染料、粉体塗装、紙ラベル、プラスチックラベル、接着剤、防護コーティング、メタライズドコーティング、食品、又はバイオコーティングのうちの１つ又は複数を含む場合がある。バイオコーティングは、例えば、タンパク質ベースのもの、オリゴ糖ベースのものなどである場合がある。メタライズドコーティングは、連続するフィルム又は金属微粒子を含む場合がある。
【００１４】
いくつかの実施形態では、高分子基体は、例えば、リサイクルプロセスの一部として、例えば、切断、細断、又は粉砕された細片又は微粒子である場合がある。高分子基体は、細片又は粒子である場合があり、再生プラスチック、未使用プラスチック、可撓性、繊維性、それらの混合物などのうちの１つ又は複数である場合がある。高分子基体は、ポリエチレン（ＰＥ）、低密度ポリエチレン（ＬＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレート−グリセロール変性物（ＰＥＴ−Ｇ）、ポリ乳酸（ＰＬＡ）、ポリスチレン（ＰＳ）、これらのコポリマー及びブロックコポリマーなどのうちの１つ又は複数を含む場合がある。高分子基体は、食品包装フィルムを含む場合がある。高分子基体は、廃棄ＣＤ又はＤＶＤからのポリカーボネートなどのメタライズドポリマーを含む場合がある。高分子基体は、単層フィルム又は多層フィルムを含む場合がある。高分子基体は、プラスチックフィルム又は容器材料を含む場合がある。
【００１５】
種々の実施形態において、無機塩基組成物は、アルカリ金属水酸化物、アルカリ土類金属酸化物、又はアルカリ土類金属水酸化物のうちの１つ又は複数を含んでいてもよい。さらに、無機塩基組成物は、アルカリ金属水酸化物、アルカリ土類金属酸化物、又はアルカリ土類金属水酸化物のうちの１つ又は複数からなってもよい又はから本質的になってもよい。本明細書で用いられる場合のアルカリ金属は、例えば、リチウム、ナトリウム、カリウム、ルビジウム、又はセシウムを含んでいてもよい。アルカリ土類金属は、例えば、ベリリウム、マグネシウム、カルシウム、ストロンチウム、又はバリウムを含んでいてもよい。例えば、無機塩基組成物は、水酸化リチウム、水酸化ナトリウム、水酸化カリウム、酸化マグネシウム、酸化カルシウム、水酸化マグネシウム、又は水酸化カルシウムのうちの１つ又は複数を含んでいてもよい。無機塩基組成物は、水酸化リチウム、水酸化ナトリウム、水酸化カリウム、酸化マグネシウム、酸化カルシウム、水酸化マグネシウム、及び水酸化カルシウムのうちの１つ又は複数からなってもよい又はから本質的になってもよい。無機塩基組成物は、水酸化ナトリウムを含んでいてもよい。無機塩基組成物は、水酸化ナトリウムからなってもよい又はから本質的になってもよい。
【００１６】
或る実施形態では、無機塩基組成物は、単相水性溶液中に所望の水酸化物濃度を確立するのに効果的な量で存在することができる。例えば、所望の水酸化物濃度は、約０．０１２５〜約０．６２５、約０．０２５〜約０．５、約０．０２５〜約０．３７５、約０．０２５〜約０．２５、約０．０２５〜約０．１２５、約０．１２５、約０．０６２５、又は上記のいずれかに基づく値又は値の範囲、例えば、約０．０１２５〜約０．６２５、約０．０２５〜約０．２５、又は約０．１２５のモル／Ｌのモル濃度（Ｍ）を有する場合がある。例えば、水酸化ナトリウムに関して、約０．０２５〜約０．２５のモル濃度は、約０．０５％〜約２．５％、例えば、約０．５％、又は約０．３７５％の、水に対する水酸化ナトリウムの重量百分率（ｗ／ｗ）に対応する場合がある。
【００１７】
いくつかの実施形態では、安定した過酸化物組成物は、過酸化物、過炭酸塩、過硫酸塩、又は過ホウ酸塩のうちの１つ又は複数のアルカリ金属塩を含んでいてもよい。安定した過酸化物組成物は、過酸化物、過炭酸塩、過硫酸塩、又は過ホウ酸塩のうちの１つ又は複数のアルカリ金属塩からなってもよい又はから本質的になってもよい。例えば、安定した過酸化物組成物は、過炭酸ナトリウムを含んでいてもよい。安定した過酸化物組成物は、過炭酸ナトリウムからなってもよい又はから本質的になってもよい。
【００１８】
種々の実施形態において、安定した過酸化物組成物は、無機塩基組成物からの水酸化物との或るモル比の過酸化物を提供するのに効果的な量で存在することができる。モル比は、約０．５：１から約１．５：１までの間、約０．５５：１から約１．４：１までの間、約０．６：１から約１．３：１までの間、約０．６５：１から約１．２：１までの間、約０．７：１から約１．１：１までの間、約０．７：１から約１：１までの間、約０．７：１から約０．９：１までの間、約０．７：１から約０．８：１までの間、約０．７５：１、又は上記の約の値のいずれか２つの間の範囲、又は上記の約の値のいずれかであってもよい。安定した過酸化物組成物は、或る過酸化物濃度を提供するのに効果的な量で存在することができる。過酸化物濃度は、約９．５５ｍＭ〜約４７８ｍＭのミリモル／リットル（ｍＭ）の値を有する場合がある。いくつかの実施形態では、ミリモル／リットル（ｍＭ）の過酸化物濃度は、上記の過酸化物対水酸化物のモル比に基づく水酸化物濃度から計算されてもよい。
【００１９】
いくつかの実施形態では、安定した過酸化物組成物は、例えば、約０．０１％〜約３％、約０．０１％〜約２．５％、約０．０１％〜約２％、約０．０１％〜約２％、約０．０１％〜約１．５％、約０．０５％〜約１％、約０．１％〜約１％、約０．１％〜約０．７５％、約０．１％〜約５％、約０．１５％〜約０．３％、約０．２％〜約０．３％のうちの１つ又は複数の水に対する重量百分率（ｗ／ｗ）の過炭酸ナトリウム、例えば、約０．２４％、又は約０．１％の過炭酸ナトリウムを含んでいてもよい。安定した過酸化物組成物は、約０．０１％〜約０．５％の水に対する重量百分率（ｗ／ｗ）の過炭酸ナトリウムからなってもよい又はから本質的になってもよい。
【００２０】
種々の実施形態において、界面活性剤組成物は、２つ以上のアルキルポリグリコシドを含んでいてもよい。界面活性剤組成物は、２つ以上のアルキルポリグリコシドからなってもよい又はから本質的になってもよい。界面活性剤組成物は、少なくとも１つのアルキルポリグルコシドを含んでいてもよい。界面活性剤組成物は、少なくとも１つのアルキルポリグルコシドからなってもよい又はから本質的になってもよい。界面活性剤組成物は、１つ以上のアルキルポリグリコシドを含んでいてもよい。界面活性剤組成物は、１つ以上のアルキルポリグリコシドからなってもよい又はから本質的になってもよい。１つ以上のアルキルポリグリコシドにおける各アルキルは、Ｃ６〜Ｃ１８アルキルから独立して選択されてもよい。１つ以上のアルキルポリグリコシドにおける各アルキルは、ココナッツ油又はパーム核油の脂肪アルコール誘導体から独立して誘導されてもよい。１つ以上のアルキルポリグリコシドにおける各アルキルは、Ｃ８〜Ｃ１６アルキルから独立して選択されてもよい。界面活性剤組成物は、２つ以上のアルキルポリグルコシドを含んでいてもよい。界面活性剤組成物は、２つ以上のアルキルポリグルコシドからなってもよい又はから本質的になってもよい。界面活性剤組成物は、Ｃ８〜Ｃ１０アルキルポリグルコシドとＣ１０〜Ｃ１６アルキルポリグルコシドを含んでいてもよい。界面活性剤組成物は、Ｃ８〜Ｃ１０アルキルポリグルコシドとＣ１０〜Ｃ１６アルキルポリグルコシドからなってもよい又はから本質的になってもよい。界面活性剤組成物は、或る重量比のＣ８〜Ｃ１０アルキルポリグルコシドとＣ１０〜Ｃ１６アルキルポリグルコシドを含んでいてもよい。重量比は、例えば、約１：５から約２：３までの間であってもよい。
【００２１】
界面活性剤組成物は、２つ以上のアルキルポリグルコシドを含んでいてもよい。界面活性剤組成物は、２つ以上のアルキルポリグルコシドからなってもよい又はから本質的になってもよい。界面活性剤組成物は、Ｃ８〜Ｃ１０アルキルポリグルコシドとＣ１０〜Ｃ１６アルキルポリグルコシドを含んでいてもよい。界面活性剤組成物は、Ｃ８〜Ｃ１０アルキルポリグルコシドとＣ１０〜Ｃ１６アルキルポリグルコシドからなってもよい又はから本質的になってもよい。界面活性剤組成物は、或る重量比のＣ８〜Ｃ１０アルキルポリグルコシドとＣ１０〜Ｃ１６アルキルポリグルコシドを含んでいてもよい。重量比は、例えば、約１：５から約２：３までの間であってもよい。
【００２２】
種々の実施形態において、界面活性剤組成物は、約０．０１〜約０．５、約０．０２５〜約０．４、約０．０５〜約０．３、約０．０７５〜約０．２５、約０．１〜約０．２、約０．１５、又は上記のいずれかに基づく値又は値の範囲、例えば、約０．０１％〜約０．５％、又は約０．１５％のうちの１つ又は複数の水に対する重量百分率（ｗ／ｗ）で単相水性溶液中に存在してもよい。適切なアルキルポリグリコシド組成物は、例えば、商標名ＧＬＵＣＯＰＯＮ（登録商標）、例えば、ＧＬＵＣＯＰＯＮ（登録商標）４２０ＵＰ、ＧＬＵＣＯＰＯＮ（登録商標）４２５Ｎなど（ＢＡＳＦ  Ｃｏｒｐｏｒａｔｉｏｎ、ニュージャージー州フローラムパーク）で販売される組成物を含む場合がある。例えば、ＧＬＵＣＯＰＯＮ（登録商標）４２０ＵＰは、約０．０１％〜約０．５％、例えば、約０．１５％の重量百分率で使用される場合がある。適切なアルキルポリグリコシド組成物は、２つ以上のアルキルポリグリコシドを含む場合があり、例えば、ＧＬＵＣＯＰＯＮ（登録商標）４２０ＵＰは、カプリリル（Ｃ８）グルコシド及びミリスチル（Ｃ１４）グルコシドを含む場合がある。
【００２３】
或る実施形態では、界面活性剤組成物は、少なくとも１つのアルコキシル化アルコール、例えば、プロポキシル化アルコール、エトキシル化アルコール、エトキシル化／プロポキシル化アルコール、又はこれらの組み合わせを含んでいてもよい。例えば、界面活性剤組成物は、Ｃ６〜Ｃ１６アルコール、Ｃ１０〜Ｃ１２アルコール、Ｃ１１〜Ｃ１４アルコール、Ｃ１０〜Ｃ１６アルコール、Ｃ９〜Ｃ１１アルコール、これらの組み合わせなどから誘導されるアルコキシル化アルコールを含んでいてもよい。Ｃ６〜Ｃ１６アルコール、Ｃ１０〜Ｃ１２アルコール、Ｃ１１〜Ｃ１４アルコール、Ｃ１０〜Ｃ１６アルコール、及びＣ９〜Ｃ１１アルコールのうちの１つ又は複数は、第一級アルコール、第二級アルコール、第三級アルコール、直鎖アルキルアルコール、及び分岐鎖アルキルアルコールのうちの１つ又は複数を含んでいてもよい。アルコキシル化Ｃ６〜Ｃ１６アルコール、Ｃ１０〜Ｃ１２アルコール、Ｃ１１〜Ｃ１４アルコール、Ｃ１０〜Ｃ１６アルコール、及びＣ９〜Ｃ１１アルコールのうちの１つ又は複数は、遊離ヒドロキシル基、すなわち、１つよりも多いヒドロキシル基を含んだＣ６〜Ｃ１６アルコール、Ｃ１０〜Ｃ１２アルコール、Ｃ１１〜Ｃ１４アルコール、Ｃ１０〜Ｃ１６アルコール、及びＣ９〜Ｃ１１前駆体のうちの１つ又は複数を含んでいてもよい。
【００２４】
適切なアルコキシル化アルコールは、例えば、ＬＰＳ−Ｔ９１（商標）（ＬＰＳ  Ｌａｂｏｒａｔｏｒｉｅｓ、Ｉｌｌｉｎｏｉｓ  Ｔｏｏｌ  Ｗｏｒｋｓ，Ｉｎｃ．の一事業部、ジョージア州タッカー）；ＥＴＨＹＬＡＮ（商標）１００５ＳＡ、ＥＴＨＹＬＡＮ（商標）１２０６、ＥＴＨＹＬＡＮ（商標）ＴＤ−６０、ＥＴＨＹＬＡＮ（商標）３２４、ＥＴＨＹＬＡＮ（商標）９５４、ＥＴＨＹＬＡＮ（商標）１００８ＳＡ、ＥＴＨＹＬＡＮ（商標）９９２、ＥＴＨＹＬＡＮ（商標）９９５、ＥＴＨＹＬＡＮ（商標）ＮＳ５００Ｋ、ＥＴＨＹＬＡＮ（商標）ＮＳ５００ＬＱ、ＥＴＨＹＬＡＮ（商標）ＳＮ−１２０、ＥＴＨＹＬＡＮ（商標）ＳＮ−９０、ＥＴＨＹＬＡＮ（商標）ＴＤ−１４０７など（ＡｚｋｏＮｏｂｅｌ  Ｓｕｒｆａｃｅ  Ｃｈｅｍｉｓｔｒｙ  ＬＬＣ、イリノイ州シカゴ）；ＴＥＲＧＩＴＯＬ（商標）１５−Ｓ−９、ＴＥＲＧＩＴＯＬ（商標）１５−Ｓ−３、ＴＥＲＧＩＴＯＬ（商標）１５−Ｓ−５、ＴＥＲＧＩＴＯＬ（商標）１５−Ｓ−７、ＴＥＲＧＩＴＯＬ（商標）１５−Ｓ−１２、ＴＥＲＧＩＴＯＬ（商標）１５−Ｓ−１５、ＴＥＲＧＩＴＯＬ（商標）１５−Ｓ−２０、ＴＥＲＧＩＴＯＬ（商標）１５−Ｓ−３０、ＴＥＲＧＩＴＯＬ（商標）１５−Ｓ−４０など（Ｄｏｗ  Ｃｈｅｍｉｃａｌ  Ｃｏｍｐａｎｙ、ミシガン州ミッドランド）；ＴＯＭＡＤＯＬ（登録商標）１２００、ＴＯＭＡＤＯＬ（登録商標）９１−８、ＴＯＭＡＤＯＬ（登録商標）１−９、ＴＯＭＡＤＯＬ（登録商標）１−３、ＴＯＭＡＤＯＬ（登録商標）１−５、ＴＯＭＡＤＯＬ（登録商標）１−７、ＴＯＭＡＤＯＬ（登録商標）１−７３Ｂ、ＴＯＭＡＤＯＬ（登録商標）２３−１、ＴＯＭＡＤＯＬ（登録商標）２３−３、ＴＯＭＡＤＯＬ（登録商標）２３−６．５、ＴＯＭＡＤＯＬ（登録商標）２５−１２、ＴＯＭＡＤＯＬ（登録商標）２５−３、ＴＯＭＡＤＯＬ（登録商標）２５−７、ＴＯＭＡＤＯＬ（登録商標）２５−９、ＴＯＭＡＤＯＬ（登録商標）４５−１３、ＴＯＭＡＤＯＬ（登録商標）４５−７、ＴＯＭＡＤＯＬ（登録商標）６００、ＴＯＭＡＤＯＬ（登録商標）９００、ＴＯＭＡＤＯＬ（登録商標）９０１、ＴＯＭＡＤＯＬ（登録商標）９０２、ＴＯＭＡＤＯＬ（登録商標）９１０、ＴＯＭＡＤＯＬ（登録商標）９１−２．５、及びＴＯＭＡＤＯＬ（登録商標）９１−６など（Ａｉｒ  Ｐｒｏｄｕｃｔｓ  ａｎｄ  Ｃｈｅｍｉｃａｌｓ，Ｉｎｃ．、ペンシルベニア州アレンタウン）を含む場合がある。
【００２５】
界面活性剤組成物は、約０．０２５％〜約１％、約０．０５％〜約０．７５％、約０．０５％〜約０．５％、約０．１％〜約０．２５％、約０．１％〜約０．２％、及び約０．１５％のうちの１つ又は複数の水に対する重量百分率（ｗ／ｗ）で単相水性溶液中に存在する少なくとも１つのアルコキシル化アルコールを含んでいてもよい。界面活性剤組成物は、１％よりも多い水に対する重量百分率（ｗ／ｗ）で単相水性溶液中に存在する少なくとも１つのアルコキシル化アルコールを含んでいてもよい。界面活性剤組成物は、５％までの水に対する重量百分率（ｗ／ｗ）で単相水性溶液中に存在する少なくとも１つのアルコキシル化アルコールを含んでいてもよい。
【００２６】
或る実施形態では、界面活性剤組成物は、少なくとも１つのアルキルポリグリコシド及び少なくとも１つのアルコキシル化アルコールを含んでいてもよい。少なくとも１つのアルキルポリグリコシド及び少なくとも１つのアルコキシル化アルコールは、本明細書に記載のアルキルポリグリコシドのいずれか及びアルコキシル化アルコールのいずれかを含んでいてもよい。少なくとも１つのアルキルポリグリコシド及び少なくとも１つのアルコキシル化アルコールは、本明細書に記載の値のいずれか及び値の範囲の水に対する重量百分率（ｗ／ｗ）で単相水性溶液中に存在してもよい。
【００２７】
或る実施形態では、単相水性溶液は、単糖類塩をさらに含んでいてもよい。単相水性溶液は、酸化された単糖類の塩を含んでいてもよい。例えば、単相水性溶液は、グルコース、ガラクトース、マンノース、フルクトース、リボース、アラビノースなどの塩を含んでいてもよい。例えば、単相水性溶液は、酸化されたグルコース（すなわち、グルコン酸）、ガラクトース、マンノース、フルクトース、リボース、アラビノースなどの塩を含んでいてもよい。本明細書で用いられる場合の塩は、陽イオン種及び陰イオン種を含んでいてもよい。例えば、陰イオン種は、カルボン酸塩及びアルコキシドのうちの１つ又は複数を含む場合がある。カチオンは、例えば、アルカリ金属、アルカリ土類金属、遷移金属、プロトン化されたアミンなどを含む場合がある。例えば、カチオンは、Ｌｉ＋、Ｎａ＋、Ｋ＋、Ｃｓ＋、Ｃａ２＋、Ｍｇ２＋、Ｆｅ２＋、Ｚｎ２＋、キニーネなどを含む場合がある。
【００２８】
単糖類塩は、０．０１、０．０２、０．０５、０．１０、０．２０、０．３０、０．４０、０．５０、０．６０、０．７０、０．８０、０．９０、１．０、１．２、１．４、１．６、１．８、２．０、２．４、２．６、３．０、３．３、３．６、４．０、４．２、４．５、４．７、及び５．０のうちの１つ又は複数の水に対する重量百分率（ｗ／ｗ）で単相水性溶液中に存在してもよい。単糖類塩は、上記の値のいずれかの間、例えば、約０．５から約１．０までの間、又は約０．７０から約２．４までの間などの重量百分率（ｗ／ｗ）で単相水性溶液中に存在してもよい。
【００２９】
種々の実施形態において、単相水性溶液は、約１０〜約１４、約１０．５〜約１４、約１１〜約１４、約１１．５〜約１４、約１２〜約１４、又は約１２．５〜約１３．５のうちの１つ又は複数のｐＨ値によって特徴付けられる場合がある。
【００３０】
種々の実施形態において、処理混合物が提供される。処理混合物は、高分子基体、例えば、高分子フィルムを含んでいてもよい。高分子基体は、１つ又は複数のコーティングを含んでいてもよい。処理混合物は、単相水性溶液を含んでいてもよい。単相水性溶液は、水を含んでいてもよい。単相水性溶液は、無機塩基組成物を含んでいてもよい。単相水性溶液は、安定した過酸化物組成物及び単糖類塩のうちの１つ又は複数を含んでいてもよい。単相水性溶液は、界面活性剤組成物を含んでいてもよい。処理混合物は、高分子基体と単相水性溶液から本質的になってもよい又はからなってもよい。
【００３１】
或る実施形態では、１つ又は複数のコーティングは、例えば、塗料、インク、染料、粉体塗装、紙ラベル、プラスチックラベル、接着剤、防護コーティング、メタライズドコーティング、又はバイオコーティングのうちの１つ又は複数を含む場合がある。バイオコーティングは、例えば、タンパク質ベースのもの、オリゴ糖ベースのものなどである場合がある。
【００３２】
いくつかの実施形態では、高分子基体は、例えば、リサイクルプロセスの一部として、例えば、切断、細断、又は粉砕された細片又は微粒子である場合がある。高分子基体は、細片又は粒子である場合があり、再生プラスチック、未使用プラスチック、可撓性、繊維性、それらの混合物などのうちの１つ又は複数である場合がある。高分子基体は、ポリエチレン（ＰＥ）、低密度ポリエチレン（ＨＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレート−グリセロール変性物（ＰＥＴ−Ｇ）、ポリ乳酸（ＰＬＡ）、ポリスチレン（ＰＳ）、これらのコポリマー及びブロックコポリマーなどのうちの１つ又は複数を含む場合がある。高分子基体は、食品包装フィルムを含む場合がある。高分子基体は、廃棄ＣＤ又はＤＶＤからのポリカーボネートなどのメタライズドポリマーを含む場合がある。高分子基体は、単層フィルム又は多層フィルムを含む場合がある。高分子基体は、プラスチックフィルム又は容器材料を含む場合がある。
【００３３】
種々の実施形態において、単相水性溶液は、本明細書に記載の単相水性溶液の特徴又は値のいずれかを含む場合がある。例えば、単相水性溶液は、少なくとも約９５％、約９６％、約９７％、約９８％、約９９％、約９９．１％、約９９．２％、約９９．２５％、約９９．３％、又は約９９．３５％のうちの１つ又は複数の水に対する重量百分率（ｗ／ｗ）の水、例えば、少なくとも約９５重量％の水を含んでいてもよい。単相水性溶液は、少なくとも約９５重量％の水と、無機塩基組成物と、安定した過酸化物組成物及び／又は単糖類塩と、界面活性剤組成物からなってもよい又はから本質的になってもよい。
【００３４】
処理混合物の種々の実施形態において、無機塩基組成物は、アルカリ金属水酸化物、アルカリ土類金属酸化物、又はアルカリ土類金属水酸化物のうちの１つ又は複数を含んでいてもよい。さらに、無機塩基組成物は、アルカリ金属水酸化物、アルカリ土類金属酸化物、又はアルカリ土類金属水酸化物のうちの１つ又は複数からなってもよい又はから本質的になってもよい。本明細書で用いられる場合のアルカリ金属は、例えば、リチウム、ナトリウム、カリウム、ルビジウム、又はセシウムを含んでいてもよい。アルカリ土類金属は、例えば、ベリリウム、マグネシウム、カルシウム、ストロンチウム、又はバリウムを含んでいてもよい。例えば、無機塩基組成物は、水酸化リチウム、水酸化ナトリウム、水酸化カリウム、酸化マグネシウム、酸化カルシウム、水酸化マグネシウム、又は水酸化カルシウムのうちの１つ又は複数を含んでいてもよい。無機塩基組成物は、水酸化リチウム、水酸化ナトリウム、水酸化カリウム、酸化マグネシウム、酸化カルシウム、水酸化マグネシウム、又は水酸化カルシウムのうちの１つ又は複数からなってもよい又はから本質的になってもよい。無機塩基組成物は、水酸化ナトリウムを含んでいてもよい。無機塩基組成物は、水酸化ナトリウムからなってもよい又はから本質的になってもよい。
【００３５】
処理混合物の或る実施形態では、無機塩基組成物は、単相水性溶液中に所望の水酸化物濃度を確立するのに効果的な量で存在することができる。例えば、所望の水酸化物濃度は、約０．０１２５〜約０．６２５、約０．０２５〜約０．５、約０．０２５〜約０．３７５、約０．０２５〜約０．２５、約０．０２５〜約０．１２５、約０．１２５、約０．０６２５、又は上記のいずれかに基づく値又は値の範囲、例えば、約０．０１２５〜約０．６２５、約０．０２５〜約０．２５、又は約０．１２５のモル／Ｌのモル濃度（Ｍ）を有する場合がある。例えば、水酸化ナトリウムに関して、約０．０２５〜約０．２５のモル濃度は、約０．１％〜約１％、例えば、約０．５％の、水に対する水酸化ナトリウムの重量百分率（ｗ／ｗ）に対応する場合がある。
【００３６】
処理混合物のいくつかの実施形態では、安定した過酸化物組成物は、過酸化物、過炭酸塩、過硫酸塩、又は過ホウ酸塩のうちの１つ又は複数のアルカリ金属塩を含んでいてもよい。安定した過酸化物組成物は、過酸化物、過炭酸塩、過硫酸塩、又は過ホウ酸塩のうちの１つ又は複数のアルカリ金属塩からなってもよい又はから本質的になってもよい。例えば、安定した過酸化物組成物は、過炭酸ナトリウムを含んでいてもよい。安定した過酸化物組成物は、過炭酸ナトリウムからなってもよい又はから本質的になってもよい。
【００３７】
処理混合物の種々の実施形態において、安定した過酸化物組成物は、無機塩基組成物からの水酸化物との或るモル比の過酸化物を提供するのに効果的な量で単相水性溶液中に存在してもよい。モル比は、約０．５：１から約１．５：１までの間、約０．５５：１から約１．４：１までの間、約０．６：１から約１．３：１までの間、約０．６５：１から約１．２：１までの間、約０．７：１から約１．１：１までの間、約０．７：１から約１：１までの間、約０．７：１から約０．９：１までの間、約０．７：１から約０．８：１までの間、約０．７５：１、又は上記の約の値のいずれか２つの間の範囲、又は上記の約の値のいずれかであってもよい。安定した過酸化物組成物は、或る過酸化物濃度を提供するのに効果的な量で存在することができる。過酸化物濃度は、約９．５５ｍＭ〜約４７８ｍＭのミリモル／リットル（ｍＭ）の値を有する場合がある。いくつかの実施形態では、ミリモル／リットル（ｍＭ）の過酸化物濃度は、上記の過酸化物対水酸化物のモル比に基づく水酸化物濃度から計算されてもよい。
【００３８】
処理混合物のいくつかの実施形態では、安定した過酸化物組成物は、例えば、約０．０１％〜約３％、約０．０１％〜約２．５％、約０．０１％〜約２％、約０．０１％〜約２％、約０．０１％〜約１．５％、約０．０５％〜約１％、約０．１％〜約１％、約０．１％〜約０．７５％、約０．１％〜約５％、約０．１５％〜約０．３％、約０．２％〜約０．３％のうちの１つ又は複数の水に対する重量百分率（ｗ／ｗ）の過炭酸ナトリウム、例えば、約０．２４％、又は約０．１％の過炭酸ナトリウムを含んでいてもよい。安定した過酸化物組成物は、約０．０１％〜約０．５％の水に対する重量百分率（ｗ／ｗ）の過炭酸ナトリウムからなってもよい又はから本質的になってもよい。
【００３９】
処理混合物の種々の実施形態において、界面活性剤組成物は、２つ以上のアルキルポリグリコシドを含んでいてもよい。界面活性剤組成物は、２つ以上のアルキルポリグリコシドからなってもよい又はから本質的になってもよい。界面活性剤組成物は、少なくとも１つのアルキルポリグルコシドを含んでいてもよい。界面活性剤組成物は、少なくとも１つのアルキルポリグルコシドからなってもよい又はから本質的になってもよい。界面活性剤組成物は、１つ以上のアルキルポリグリコシドを含んでいてもよい。界面活性剤組成物は、１つ以上のアルキルポリグリコシドからなってもよい又はから本質的になってもよい。１つ以上のアルキルポリグリコシドにおける各アルキルは、Ｃ６〜Ｃ１８アルキルから独立して選択されてもよい。１つ以上のアルキルポリグリコシドにおける各アルキルは、ココナッツ油又はパーム核油の脂肪アルコール誘導体から独立して誘導されてもよい。１つ以上のアルキルポリグリコシドにおける各アルキルは、Ｃ８〜Ｃ１６アルキルから独立して選択されてもよい。
【００４０】
界面活性剤組成物は、２つ以上のアルキルポリグルコシドを含んでいてもよい。界面活性剤組成物は、２つ以上のアルキルポリグルコシドからなってもよい又はから本質的になってもよい。界面活性剤組成物は、Ｃ８〜Ｃ１０アルキルポリグルコシドとＣ１０〜Ｃ１６アルキルポリグルコシドを含んでいてもよい。界面活性剤組成物は、Ｃ８〜Ｃ１０アルキルポリグルコシドとＣ１０〜Ｃ１６アルキルポリグルコシドからなってもよい又はから本質的になってもよい。界面活性剤組成物は、或る重量比のＣ８〜Ｃ１０アルキルポリグルコシドとＣ１０〜Ｃ１６アルキルポリグルコシドを含んでいてもよい。重量比は、例えば、約１：５から約２：３までの間であってもよい。
【００４１】
処理混合物の種々の実施形態において、界面活性剤組成物は、約０．０１〜約０．５、約０．０２５〜約０．４、約０．０５〜約０．３、約０．０７５〜約０．２５、約０．１〜約０．２、約０．１５、又は上記のいずれかに基づく値又は値の範囲、例えば、約０．０１％〜約０．５％、又は約０．１５％のうちの１つ又は複数の水に対する重量百分率（ｗ／ｗ）で単相水性溶液中に存在してもよい。
【００４２】
或る実施形態では、界面活性剤組成物は、少なくとも１つのアルコキシル化アルコール、例えば、プロポキシル化アルコール、エトキシル化アルコール、エトキシル化／プロポキシル化アルコール、又はこれらの組み合わせを含んでいてもよい。例えば、界面活性剤組成物は、Ｃ６〜Ｃ１６アルコール、Ｃ１０〜Ｃ１２アルコール、Ｃ１１〜Ｃ１４アルコール、Ｃ１０〜Ｃ１６アルコール、Ｃ９〜Ｃ１１アルコール、これらの組み合わせなどから誘導されるアルコキシル化アルコールを含んでいてもよい。Ｃ６〜Ｃ１６アルコール、Ｃ１０〜Ｃ１２アルコール、Ｃ１１〜Ｃ１４アルコール、Ｃ１０〜Ｃ１６アルコール、及びＣ９〜Ｃ１１アルコールのうちの１つ又は複数は、第一級アルコール、第二級アルコール、第三級アルコール、直鎖アルキルアルコール、及び分岐鎖アルキルアルコールのうちの１つ又は複数を含んでいてもよい。アルコキシル化Ｃ６〜Ｃ１６アルコール、Ｃ１０〜Ｃ１２アルコール、Ｃ１１〜Ｃ１４アルコール、Ｃ１０〜Ｃ１６アルコール、及びＣ９〜Ｃ１１アルコールのうちの１つ又は複数は、遊離ヒドロキシル基、すなわち、１つよりも多いヒドロキシル基を含んだＣ６〜Ｃ１６アルコール、Ｃ１０〜Ｃ１２アルコール、Ｃ１１〜Ｃ１４アルコール、Ｃ１０〜Ｃ１６アルコール、及びＣ９〜Ｃ１１前駆体のうちの１つ又は複数を含んでいてもよい。
【００４３】
界面活性剤組成物は、約０．０２５％〜約１％、０．０５％〜約０．７５％、０．０５％〜約０．５％、０．１％〜約０．２５％、０．１％〜約０．２％、及び約０．１５％のうちの１つ又は複数の水に対する重量百分率（ｗ／ｗ）で単相水性溶液中に存在する少なくとも１つのアルコキシル化アルコールを含んでいてもよい。界面活性剤組成物は、１％よりも多い水に対する重量百分率（ｗ／ｗ）で単相水性溶液中に存在する少なくとも１つのアルコキシル化アルコールを含んでいてもよい。界面活性剤組成物は、５％までの水に対する重量百分率（ｗ／ｗ）で単相水性溶液中に存在する少なくとも１つのアルコキシル化アルコールを含んでいてもよい。
【００４４】
或る実施形態では、界面活性剤組成物は、少なくとも１つのアルキルポリグリコシド及び少なくとも１つのアルコキシル化アルコールを含んでいてもよい。少なくとも１つのアルキルポリグリコシド及び少なくとも１つのアルコキシル化アルコールは、本明細書に記載のアルキルポリグリコシドのいずれか及びアルコキシル化アルコールのいずれかを含んでいてもよい。少なくとも１つのアルキルポリグリコシド及び少なくとも１つのアルコキシル化アルコールは、本明細書に記載の値のいずれか及び値の範囲の水に対する重量百分率（ｗ／ｗ）で単相水性溶液中に存在してもよい。
【００４５】
或る実施形態では、単相水性溶液は、単糖類塩をさらに含んでいてもよい。単相水性溶液は、酸化された単糖類の塩を含んでいてもよい。例えば、単相水性溶液は、グルコース、ガラクトース、マンノース、フルクトース、リボース、アラビノースなどの塩を含んでいてもよい。例えば、単相水性溶液は、酸化されたグルコース（すなわち、グルコン酸）、ガラクトース、マンノース、フルクトース、リボース、アラビノースなどの塩を含んでいてもよい。本明細書で用いられる場合の塩は、陽イオン種及び陰イオン種を含んでいてもよい。例えば、陰イオン種は、カルボン酸塩及びアルコキシドのうちの１つ又は複数を含む場合がある。カチオンは、例えば、アルカリ金属、アルカリ土類金属、遷移金属、プロトン化されたアミンなどを含む場合がある。例えば、カチオンは、Ｌｉ＋、Ｎａ＋、Ｋ＋、Ｃｓ＋、Ｃａ２＋、Ｍｇ２＋、Ｆｅ２＋、Ｚｎ２＋、キニーネなどを含む場合がある。
【００４６】
単糖類塩は、０．０１、０．０２、０．０５、０．１０、０．２０、０．３０、０．４０、０．５０、０．６０、０．７０、０．８０、０．９０、１．０、１．２、１．４、１．６、１．８、２．０、２．４、２．６、３．０、３．３、３．６、４．０、４．２、４．５、４．７、及び５．０のうちの１つ又は複数の水に対する重量百分率（ｗ／ｗ）で単相水性溶液中に存在してもよい。単糖類塩は、上記の値のいずれかの間、例えば、約０．５から約１．０までの間、又は約０．７０から約２．４までの間などの重量百分率（ｗ／ｗ）で単相水性溶液中に存在してもよい。
【００４７】
種々の実施形態において、処理混合物及び／又はその中の単相水性溶液は、約１０〜約１４、約１０．５〜約１４、約１１〜約１４、約１１．５〜約１４、約１２〜約１４、又は約１２．５〜約１３．５のうちの１つ又は複数のｐＨ値によって特徴付けられる場合がある。
【００４８】
種々の実施形態において、単相水性溶液を用いて高分子基体から１つ又は複数のコーティングを除去するための方法１００が提供される。図１は、方法１００の流れ図を示す。方法は、単相水性溶液を提供すること１０２を含んでいてもよい。単相水性溶液は、水を含んでいてもよい。単相水性溶液は、無機塩基組成物、例えば、本明細書に記載の無機塩基組成物を含んでいてもよい。単相水性溶液は、安定した過酸化物組成物及び単糖類塩、例えば、本明細書に記載の安定した過酸化物組成物及び単糖類塩のうちの１つ又は複数を含んでいてもよい。単相水性溶液は、界面活性剤組成物を含んでいてもよい。方法は、高分子基体、例えば、高分子フィルムを提供すること１０４を含んでいてもよく、高分子基体は１つ又は複数のコーティングを含む。方法は、高分子基体から１つ又は複数のコーティングの一部を除去するのに効果的な条件下で処理混合物を形成するべく単相水性溶液と高分子基体を接触させること１０６を含んでいてもよい。
【００４９】
種々の実施形態において、高分子基体から１つ又は複数のコーティングの一部を除去するのに効果的な条件は、処理混合物を加熱することを含んでいてもよい。処理混合物は、約６０℃から約１００℃までの間、約６５℃から約１００℃までの間、約７０℃から約１００℃までの間、約７５℃から約９５℃までの間、約８０℃から約９０℃までの間、約８０℃から約８５℃までの間、約８５℃、約８２℃、又は上記の約の値のいずれか２つの間、又は上記の約の値のいずれか、例えば、約６０℃から約１００℃までの間、又は約８５℃のうちの１つ又は複数の温度で加熱されてもよい。
【００５０】
種々の実施形態において、高分子基体から１つ又は複数のコーティングの一部を除去するのに効果的な条件は、最初のコーティング量を判断すること、処理混合物を加熱及び攪拌すること、最初のコーティング量の約のパーセンテージよりも少ない処理コーティング量を判断すること、及び処理コーティング量が最初のコーティング量の約のパーセンテージよりも少ないと判断すると高分子基体を回収することを含んでいてもよく、最初のコーティング量のパーセンテージは、約２０％、約１５％、約１４％、約１３％、約１２％、約１１％、約１０％、約９％、約８％、約７％、約６％、約５％、約４％、約３％、約２％、及び約１％のうちの１つ又は複数である。
【００５１】
種々の実施形態において、高分子基体から１つ又は複数のコーティングの一部を除去するのに効果的な条件は、処理混合物を攪拌することを含んでいてもよい。
【００５２】
種々の実施形態において、方法は、１つ又は複数のコーティングの一部の除去後に高分子基体を回収することをさらに含んでいてもよい。方法は、１つ又は複数のコーティングの一部の除去後に単相水性溶液の少なくとも一部を回収することをさらに含んでいてもよい。
【００５３】
種々の実施形態において、高分子基体から１つ又は複数のコーティングの一部を除去するのに効果的な条件は、バッチ操作を含んでいてもよい。１つ又は複数のコーティングの一部を除去するのに効果的な条件は、連続操作を含んでいてもよい。
【００５４】
種々の実施形態において、方法はまた、水に、無機塩基組成物と、界面活性剤組成物と、安定した過酸化物組成物及び／又は単糖類塩を段階的に加えることによって単相水性溶液を用いること及び／又は形成することを含んでいてもよい。
【００５５】
或る実施形態では、方法は、無機塩基組成物と、安定した過酸化物組成物と、単糖類塩及びアルキルポリグリコシドに加えてアルコキシル化アルコールを含む界面活性剤組成物のうちの１つ又は複数とを含む単相水性溶液を提供することをさらに含んでいてもよい。或る実施形態では、方法は、１つ又は複数のコーティングの除去にわたって処理混合物を監視することをさらに必要とする場合がある。方法は、コーティングの十分な除去がいつ完了するかの判断、例えば、目視検査、サンプル抽出、処理混合物から抽出したサンプルのＦＴＩＲ分析などを必要とする場合がある。方法は、高分子基体の着色を防ぐために単相水性溶液と高分子基体との接触を終えることを必要とする場合がある。
【００５６】
方法は、本明細書に記載の単相水性溶液の特徴又は値のいずれかに係る単相水性溶液を提供することを含んでいてもよい。方法は、本明細書に記載の単相水性溶液の特徴又は値のいずれかに係る単相水性溶液を調製することを含んでいてもよい。方法は、本明細書に記載の単相水性溶液の特徴又は値のいずれかに係る処理混合物を提供することを含んでいてもよい。方法は、本明細書に記載の単相水性溶液の特徴又は値のいずれかに係る処理混合物を調製することを含んでいてもよい。
【００５７】
種々の実施形態において、キット２００が提供される。図２は、キット２００のブロック図を示す。キット２００は、高分子基体から１つ又は複数のコーティングを除去するための単相水性溶液を作製するためのものであってもよい。キットは、無機塩基組成物、安定した過酸化物組成物、単糖類塩、及び界面活性剤組成物のうちの１つ又は複数２０２を含んでいてもよい。キットは、指示２０４を含む場合がある。指示は、単相水性溶液を形成するべく無機塩基組成物、安定した過酸化物組成物、単糖類塩、及び界面活性剤組成物を水と組み合わせるようにユーザを誘導してもよい。
【００５８】
或る実施形態では、キットは、無機塩基組成物と、安定した過酸化物組成物及び／又は単糖類塩と、界面活性剤組成物を含んでいてもよい。キットは、無機塩基組成物と、安定した過酸化物組成物及び／又は単糖類塩と、界面活性剤組成物のうちの少なくとも１つをドライ組成物として含んでいてもよい。キットは、無機塩基組成物と、安定した過酸化物組成物及び／又は単糖類塩と、界面活性剤組成物を一緒に単一のドライ混合物として含んでいてもよい。キットは、無機塩基組成物と、安定した過酸化物組成物及び／又は単糖類塩と、界面活性剤組成物を一緒に濃縮液として含んでいてもよい。キットは、無機塩基組成物と、安定した過酸化物組成物及び／又は単糖類塩と、界面活性剤組成物を一緒に単相水性溶液としてすぐに使用できる状態で含んでいてもよい。いくつかの実施形態では、指示は、単相水性溶液を１つ又は複数のコーティングを含む高分子基体に接触させることによって処理混合物を形成するようにユーザをさらに誘導してもよい。指示は、本明細書に記載の単相水性溶液の特徴又は値のいずれかに係る単相水性溶液を提供するようにユーザを誘導してもよい。指示は、本明細書に記載の単相水性溶液の特徴又は値のいずれかに係る単相水性溶液を調製するようにユーザを誘導してもよい。指示は、本明細書に記載の単相水性溶液の特徴又は値のいずれかに係る処理混合物を提供するようにユーザを誘導してもよい。指示は、本明細書に記載の単相水性溶液の特徴又は値のいずれかに係る処理混合物を調製するようにユーザを誘導してもよい。
【００５９】
指示は、本明細書に記載の単相水性溶液の特徴又は値のいずれかに係る単相水性溶液を提供するようにユーザを誘導してもよい。指示は、本明細書に記載の単相水性溶液の特徴又は値のいずれかに係る単相水性溶液を調製するようにユーザを誘導してもよい。指示は、本明細書に記載の単相水性溶液の特徴又は値のいずれかに係る処理混合物を提供するようにユーザを誘導してもよい。指示は、本明細書に記載の単相水性溶液の特徴又は値のいずれかに係る処理混合物を調製するようにユーザを誘導してもよい。
【００６０】
実施例
実施例１
およそ９０７．１９ｇの水を混合タンクに加え、約８２℃に加熱した。水が８２℃にされ、およそ７５０ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）、及び０．１０％（ｗ／ｗ）の過炭酸ナトリウムを個別に順に混合タンクに加えた。およそ２．５４ｃｍのメッシュサイズのおよそ５６．７０ｇの粉砕された食品包装フィルムを混合タンクに加え、混合物をおよそ１０００ＲＰＭで攪拌した。およそ３０分後に、均一な十分な混合をもたらすべく攪拌を１５００ＲＰＭに増加させた。１時間後に、水性相を除去するべく混合物をフィルタの上に注いだ。得られた生成物は、残っているインクが見受けられず十分にクリーンと判断された。
【００６１】
実施例２
およそ４．５４ｋｇの水を混合タンクに加え、約８２℃に加熱した。水が８２℃にされ、およそ９００ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）、及び０．２４％（ｗ／ｗ）の過炭酸ナトリウムを混合タンクに加えた。およそ１．３６ｋｇの高流動性ポリプロピレンバケット材料を混合タンクに加えた。２時間後に、生成物は、残っているインクが見受けられず＞９９％クリーンと判断された。この同じ一般的手順を用いて行われるポリプロピレン基体に対する種々の試験の種々の組成、反応パラメータ、及び結果の詳細が、図３Ａ及び図３Ｂに、例えば、エントリー１１、１４〜１６、及び２２に示されている。エントリー４〜１０及び２３における示されたパラメータとこの同じ一般的手順を用いる高密度ポリエチレン、ポリカーボネート、及びポリ乳酸基体に関して比較できる結果が見出された。
【００６２】
実施例３
およそ５．４４ｋｇの水を混合タンクに加え、約８２℃に加熱した。水が８２℃にされ、およそ１２００ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）、及び０．２４％（ｗ／ｗ）の過炭酸ナトリウムを混合タンクに加えた。およそ１．１３ｋｇのポリエチレンテレフタレート容器材料を混合タンクに加えた。２．５時間後に、生成物は、残っているインクが見受けられず＞９９％クリーンと判断された。この同じ一般的手順を用いて行われるポリエチレンテレフタレート基体に対する種々の試験の種々の組成、反応パラメータ、及び結果の詳細が、図３Ａ及び図３Ｂに、例えば、エントリー１及び１２に示される。
【００６３】
実施例４
およそ４．５４ｋｇの水を混合タンクに加え、約８２℃に加熱した。水が８２℃にされ、およそ８００ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）、及び０．２４％（ｗ／ｗ）の過炭酸ナトリウムを混合タンクに加えた。およそ９０．７２ｇのポリスチレン発泡体カップ材料を混合タンクに加えた。４．５時間後に、生成物は、＞９０％クリーンと判断された。この同じ一般的手順を用いて行われるポリスチレン基体に対する種々の試験の種々の組成、反応パラメータ、及び結果の詳細が、図３Ａ及び図３Ｂに、例えば、エントリー１３、１７〜２１、及び２４に示されている。
【００６４】
実施例５
およそ５．４４ｋｇの水を混合タンクに加え、約８２℃に加熱した。水が８２℃にされ、およそ１０００ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）、０．２４％（ｗ／ｗ）の過炭酸ナトリウム、及び１．０％（ｗ／ｗ）のＤ−グルコン酸ナトリウムを混合タンクに加え、混合物をおよそ１５００ＲＰＭで攪拌した。およそ２２６．８０ｇの二軸配向ポリプロピレンフィルムを混合タンクに加えた。５時間後に、生成物は、ＦＴＩＲによってクリーンと判断された。この同じ一般的手順を用いる二軸配向ポリプロピレン基体に対する種々の試験の種々の組成、反応パラメータ、及び結果の詳細が、図３Ａ及び図３Ｂに、例えばエントリー２及び３に示される。
【００６５】
実施例６
およそ５．４４ｋｇの水を混合タンクに加え、約８２℃に加熱した。水が８２℃にされ、およそ８００ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）、０．２４％（ｗ／ｗ）の過炭酸ナトリウム、及び０．２５％（ｗ／ｗ）のＬＰＳ−Ｔ９１（商標）（ＬＰＳ  Ｌａｂｏｒａｔｏｒｉｅｓ、Ｉｌｌｉｎｏｉｓ  Ｔｏｏｌ  Ｗｏｒｋｓ，Ｉｎｃ．の一事業部、ジョージア州タッカー）を混合タンクに加え、混合物をおよそ１５００ＲＰＭで攪拌した。パーソナルケア製品（おむつ）からのおよそ３４０．１９ｇの粉砕された直鎖低密度ポリエチレン（ＬＬＤＰＥ）フィルムを混合タンクに加えた。１時間後に、生成物は、＞９５％クリーンと判断された。２時間後に、フィルムの着色が生じた。この同じ一般的手順を用いる直鎖低密度ポリエチレンフィルムに対する種々の試験の種々の組成、反応パラメータ、及び結果の詳細が図４Ａ及び図４Ｂに示されている。
【００６６】
実施例７
およそ５．４４ｋｇの水を混合タンクに加え、約８２℃に加熱した。水が８２℃にされ、およそ７５０ＲＰＭで攪拌されている状態で、０．７５％（ｗ／ｗ）の５０％（ｗ／ｖ）ＮａＯＨ溶液、０．１５％（ｗ／ｗ）のＧＬＵＣＯＰＯＮ４２０ＵＰＲ界面活性剤（ＢＡＳＦ  Ｃｏｒｐｏｒａｔｉｏｎ、ニュージャージー州フローラムパーク）、及び０．２０％（ｗ／ｗ）の過炭酸ナトリウムを個別に順に混合タンクに加えた。およそ２．５４ｃｍのメッシュサイズのおよそ３４０．２ｇの粉砕されたおむつフィルムを混合タンクに加え、混合物をおよそ１０００ＲＰＭで攪拌した。およそ３０分後に、均一な十分な混合をもたらし、かつ層分離を防ぐべく、攪拌を１５００ＲＰＭに増加させた。３時間後に、水性相を除去するべく混合物をフィルタの上に注いだ。得られた生成物は、インクの再付着に起因して着色が現れた。この同じ一般的手順を用いる直鎖低密度ポリエチレンフィルムに対する種々の試験の種々の組成、反応パラメータ、及び結果の詳細が図５に示されている。
【００６７】
実施例８
図６は、例えば、廃棄ＣＤ及びＤＶＤからのメタライズドポリカーボネートに対する実施例２の手順に従って概して行われる実施例８のいくつかの試験の組成、反応パラメータ、及び結果の表である。特に図６のエントリー１及び９〜１３に関する、特に、ＮａＯＨと、ＧＬＵＣＯＰＯＮ（登録商標）４２０ＵＰ界面活性剤（ＢＡＳＦ  Ｃｏｒｐｏｒａｔｉｏｎ、ニュージャージー州フローラムパーク）と、過炭酸ナトリウム及びＤ−グルコン酸ナトリウムのうちの一方又は両方との組み合わせで、優れた結果が得られた。
【００６８】
「含む（ｉｎｃｌｕｄｅｓ又はｉｎｃｌｕｄｉｎｇ）」という用語が本明細書又は請求項で用いられる限りにおいて、これは「備える（ｃｏｍｐｒｉｓｉｎｇ）」という用語が請求項で移行語として採用されるときに解釈される場合の該用語と同様に包括的となることが意図される。さらに、「又は」（例えば、Ａ又はＢ）という用語が採用される限りにおいて、これは「Ａ又はＢ又はこれらの両方」を意味することが意図される。出願人らが「両方ではなくＡ又はＢのみ」を示すことを意図するときには、「両方ではなくＡ又はＢのみ」という用語が採用されることになる。したがって、本明細書での「又は」という用語の使用は、包括的使用であって排他的使用ではない。Ｂｒｙａｎ  Ａ．ＧａｒｎｅｒのＡ  Ｄｉｃｔｉｏｎａｒｙ  ｏｆ  Ｍｏｄｅｒｎ  Ｌｅｇａｌ  Ｕｓａｇｅ６２４（第２版、１９９５年）を参照されたい。また、「〜における（ｉｎ）」又は「〜の中に（ｉｎｔｏ）」という用語が本明細書又は請求項で用いられる限りにおいて、これは「〜上の（ｏｎ）」又は「〜上に（ｏｎｔｏ）」をさらに意味することが意図される。「選択的に」という用語が本明細書又は請求項で用いられる限りにおいて、これは装置のユーザが装置の使用中に必要な又は望んだとおりに構成要素の特徴又は機能をアクティブ化又は非アクティブ化することができる構成要素の条件を指すことが意図される。「作動的に結合される」又は「作動的に接続される」という用語が本明細書又は請求項で用いられる限りにおいて、これは特定の構成要素が指定された機能を果たす様態で接続されることを意味することが意図される。「実質的に」という用語が本明細書又は請求項で用いられる限りにおいて、これは特定の構成要素が対象産業で容認可能であるような誤差の度合いでの示される関係性又は品質を有することを意味することが意図される。
【００６９】
本明細書及び請求項で用いられる場合の単数形（「ａ」、「ａｎ」、及び「ｔｈｅ」）は、単数形が明確に定められている場合を除き、複数形を含む。例えば、「化合物」への言及は、単一の化合物ばかりでなく、２つ以上の化合物の混合物を含む場合もある。
【００７０】
本明細書で用いられる場合の数字と併せて用いられる「約」という用語は、数字の±１０％を含むことが意図される。言い換えれば、「約１０」は９〜１１を意味する場合がある。
【００７１】
本明細書で用いられる場合の「随意的な」及び「随意的に」という用語は、後で説明される状況が起こる場合又は起こらない場合があることを意味し、ゆえに、説明は、状況が起こる事例と状況が起こらない事例を含む。
【００７２】
上記のように、本願はその実施形態の説明によって例示されており、実施形態がかなり詳細に説明されているが、付属の請求項の範囲をこうした詳細に制約する又は多少なりとも限定することは出願人らの意図ではない。本願の恩恵に浴する当業者にはさらなる利点及び修正がすぐに分かるであろう。したがって、本願は、そのより広い態様において、具体的な詳細、示される例示的な例、又は言及されるどの装置にも限定されない。発明の一般概念の精神又は範囲から逸脱せずにこうした詳細、例、及び装置からの逸脱がなされ得る。
【００７３】
本明細書で用いられる場合の「置換される」は、そこに含まれる水素原子への１つ又は複数の結合が非水素原子又は非炭素原子への結合によって置換される場合がある、下記の有機基（例えば、アルキル基）を指す。置換される基はまた、炭素（単数又は複数）又は水素（単数又は複数）原子への１つ又は複数の結合がヘテロ原子への二重結合又は三重結合を含む１つ又は複数の結合によって置換される場合がある基を含む。置換される基は、他に規定されない限り、１つ又は複数の置換基で置換される場合がある。或る実施形態では、置換される基は、１、２、３、４、５、又は６つの置換基で置換される場合がある。置換基の例は、ハロゲン（すなわち、Ｆ、Ｃｌ、Ｂｒ、及びＩ）；ヒドロキシル；アルコキシ、アルケノキシ、アリールオキシ、アラルキルオキシ、ヘテロシクリルオキシ、及びヘテロシクリルアルコキシ基；カルボニル（オキソ）；カルボキシル；エステル；ウレタン；オキシム；ヒドロキシルアミン；アルコキシアミン；アラルコキシアミン；チオール；スルフィド；スルホキシド；スルホン；スルホニル；スルホンアミド；アミン；Ｎ−酸化物；ヒドラジン；ヒドラジド；ヒドラゾン；アジド；アミド；尿素；アミジン；グアニジン；エナミン；イミド；イソシアネート；イソチオシアネート；シアネート；チオシアネート；イミン；ニトロ基；又はニトリル（すなわち、ＣＮ）を含む。「ペル（ｐｅｒ）」置換される化合物又は基は、示された置換基で置換されるすべての又は実質的にすべての置換可能位置を有する化合物又は基である。例えば、１，６−ジヨードペルフルオロヘキサンは式Ｃ６Ｆ１２Ｉ２の化合物を示し、この場合のすべての置換可能水素はフッ素原子で置換されている。
【００７４】
置換されるシクロアルキル、アリール、ヘテロシクリル、及びヘテロアリール基などの置換される環基はまた、水素原子への結合が炭素原子への結合で置換される場合がある環及び環系を含む。置換されるシクロアルキル、アリール、ヘテロシクリル、及びヘテロアリール基はまた、下記の置換される又は置換されないアルキル、アルケニル、及びアルキニル基で置換される場合がある。
【００７５】
アルキル基は、１〜１２の炭素原子、通常は１〜１０の炭素、又は或る例では、１〜８、１〜６、又は１〜４の炭素原子を有する直鎖及び分岐鎖アルキル基を含む。直鎖アルキル基の例は、メチル基、エチル基、ｎ−プロピル基、ｎ−ブチル基、ｎ−ペンチル基、ｎ−ヘキシル基、ｎ−ヘプチル基、及びｎ−オクチル基などの基を含む。分岐鎖アルキル基の例は、イソプロピル基、イソブチル基、ｓｅｃ−ブチル基、tｅｒｔ−ブチル基、ネオペンチル基、イソペンチル基、及び２，２−ジメチルプロピル基を含むがこれらに限定されない。代表的な置換されるアルキル基は、上記に列挙されるような置換基で１回又は複数回置換される場合があり、限定ではなしに、ハロアルキル（例えば、トリフルオロメチル）、ヒドロキシアルキル、チオアルキル、アミノアルキル、アルキルアミノアルキル、ジアルキルアミノアルキル、アルコキシアルキル、又はカルボキシアルキルを含む。
【００７６】
シクロアルキル基は、３〜１２の炭素原子、又は或る実施形態では、３〜１０、３〜８、又は３〜４、５、又は６の炭素原子を環に有する単環式アルキル基、二環式アルキル基、又は三環式アルキル基を含む。例示的な単環式シクロアルキル基は、シクロプロピル基、シクロブチル基、シクロペンチル基、シクロヘキシル基、シクロヘプチル基、及びシクロオクチル基を含むがこれらに限定されない。或る実施形態では、シクロアルキル基は３〜８の環員を有し、一方、他の実施形態では、環の炭素原子の数は、３〜５、３〜６、又は３〜７の範囲である。二環式及び三環式の環系は、限定はされないが、ビシクロ［２．１．１］ヘキサン、アダマンチル、又はデカリニルなどの、架橋されたシクロアルキル基と縮合環との両方を含む。置換されるシクロアルキル基は、上記の非水素基及び非炭素基で１回又は複数回置換される場合がある。しかしながら、置換されるシクロアルキル基はまた、上記の直鎖又は分岐鎖アルキル基で置換される場合がある環を含む。代表的な置換されるシクロアルキル基は、限定はされないが、上記に挙げたような置換基で置換される場合がある、一置換されたもの又は２，２−、２，３−、２，４−、２，５−、又は２，６−二置換シクロヘキシル基などの一以上置換されたものであってもよい。
【００７７】
アリール基は、ヘテロ原子を含まない環状芳香族炭化水素であってもよい。アリール基は、本明細書では、単環式、二環式、及び三環式の環系を含む。アリール基は、フェニル基、アズレニル基、ヘプタレニル基、ビフェニル基、フルオレニル基、フェナントレニル基、アントラセニル基、インデニル基、インダニル基、ペンタレニル基、及びナフチル基を含むがこれらに限定されない。或る実施形態では、アリール基は、基の環部分に６〜１４の炭素、他の実施形態では、６〜１２又はさらには６〜１０の炭素原子を含む。或る実施形態では、アリール基は、フェニル又はナフチルであってもよい。「アリール基」という文言は、縮合した芳香族−脂肪族環系（例えば、インダニル又はテトラヒドロナフチル）などの縮合環を含む基を含む場合があるが、「アリール基」は、環員のうちの１つに結合されるアルキル基又はハロ基などの他の基を有するアリール基を含まない。むしろ、トリルなどの基は、置換されるアリール基と呼ばれる場合がある。代表的な置換されるアリール基は、一置換される又は一以上置換される場合がある。例えば、一置換されるアリール基は、上記のような置換基で置換される場合がある２，３，４，５又は６置換されるフェニル又はナフチルを含むがこれらに限定されない。
【００７８】
アラルキル基は、アルキル基の水素結合又は炭素結合が上記のアリール基への結合で置換される場合がある上記のアルキル基であってもよい。或る実施形態では、アラルキル基は、７〜１６の炭素原子、７〜１４の炭素原子、又は７〜１０の炭素原子を含む。置換されるアラルキル基は、基のアルキル部分、アリール部分、又はアルキル部分とアリール部分との両方で置換される場合がある。代表的なアラルキル基は、４−インダニルエチルなどのベンジル基及びフェネチル基及び縮合した（シクロアルキルアリール）アルキル基を含むがこれらに限定されない。置換されるアラルキルは、上記に挙げた置換基で１回又は複数回置換される場合がある。
【００７９】
本技術の化合物内に２つ以上の結合点を有する（すなわち、二価、三価、又は多価の）本明細書に記載の基は、接尾文字「エン」の使用によって表される場合がある。例えば、二価のアルキル基はアルキレン基である場合があり、二価のアリール基はアリーレン基である場合があり、二価のヘテロアリール基はヘテロアリーレン基などであってもよい。特に、特定のポリマーが、ポリマー繰り返し単位を説明する用語と併せて接尾文字「エン」の使用によって説明される場合がある。
【００８０】
アルコキシ基は、水素原子への結合が上記の置換される又は置換されないアルキル基への炭素原子への結合によって置換される場合がある、ヒドロキシル基（−ＯＨ）であってもよい。直鎖アルコキシ基の例は、メトキシ、エトキシ、プロポキシ、ブトキシ、ペントキシ、又はヘキソキシを含むがこれらに限定されない。分岐鎖アルコキシ基の例は、イソプロポキシ、ｓｅｃ−ブトキシ、ｔｅｒｔ−ブトキシ、イソペントキシ、又はイソヘキソキシを含むがこれらに限定されない。シクロアルコキシ基の例は、シクロプロピルオキシ、シクロブチルオキシ、シクロペンチルオキシ、又はシクロヘキシルオキシを含むがこれらに限定されない。代表的な置換されるアルコキシ基は、上記に列挙されるような置換基で１回又は複数回置換される場合がある。
【００８１】
本明細書で開示される種々の態様及び実施形態は、例示するためのものであって、限定するものとなることを意図されず、その真の範囲及び精神は以下の請求項によって示される。
【図１】
2017525811.tif 000002
【図２】
2017525811.tif 000003
【図３Ａ】
2017525811.tif 000004
【図３Ｂ】
2017525811.tif 000005
【図４Ａ】
2017525811.tif 000006
【図４Ｂ】
2017525811.tif 000007
【図５】
2017525811.tif 000008
【図６】
2017525811.tif 000009
【手続補正書】
【提出日】平成28年6月17日(2016.6.17)
【手続補正１】
【補正対象書類名】特許請求の範囲
【補正対象項目名】全文
【補正方法】変更
【補正の内容】
【特許請求の範囲】
【請求項１】
高分子基体から１つ又は複数のコーティングを除去するための単相水性溶液であって、
水と、
無機塩基組成物と、
安定した過酸化物組成物及び単糖類塩のうちの１つ又は複数と、
界面活性剤組成物と、
を含み、前記界面活性剤組成物が、
１つ又は複数のアルキルポリグリコシド、又は
アルコキシル化アルコール、
から本質的になる、単相水性溶液。
【請求項２】
前記無機塩基組成物が、約０．０１２５Ｍ〜約０．６２５Ｍ、約０．０２５Ｍ〜約０．５Ｍ、約０．０２５Ｍ〜約０．３７５Ｍ、約０．０２５Ｍ〜約０．２５Ｍ、約０．０２５Ｍ〜約０．１２５Ｍ、及び約０．０６２５Ｍのうちの１つ又は複数のモル／リットル（Ｍ）の水酸化物濃度を確立するのに効果的な量で存在する、請求項１に記載の単相水性溶液。
【請求項３】
前記無機塩基組成物が、約０．３７５％の、水に対する重量パーセント濃度（ｗ／ｗ）の水酸化ナトリウムを含む、請求項１に記載の単相水性溶液。
【請求項４】
前記安定した過酸化物組成物が過炭酸ナトリウムを含む、請求項１に記載の単相水性溶液。
【請求項５】
前記安定した過酸化物組成物が、約９．５５ｍＭ〜約４７８ｍＭのモル濃度を有する過酸化物濃度を提供するのに効果的な量で存在する、請求項１に記載の単相水性溶液。
【請求項６】
前記界面活性剤組成物が前記１つ又は複数のアルキルポリグリコシドを含み、前記１つ又は複数のアルキルポリグリコシドにおける各アルキルが、ココナッツ油又はパーム核油の脂肪アルコール誘導体及びＣ８〜Ｃ１６アルキルのうちの１つ又は複数から独立して誘導される、請求項１に記載の単相水性溶液。
【請求項７】
前記界面活性剤組成物が、前記１つ又は複数のアルキルポリグリコシドから本質的になる、請求項１に記載の単相水性溶液。
【請求項８】
Ｄ−グルコン酸ナトリウムを含む前記単糖類塩をさらに含む、請求項１に記載の単相水性溶液。
【請求項９】
前記界面活性剤組成物が、約０．０１％〜約０．５％、約０．０２５％〜約０．４％、約０．０５％〜約０．３％、約０．０７５％〜約０．２５％、約０．１％〜約０．２％、及び約０．１５％のうちの１つ又は複数の水に対する重量百分率（ｗ／ｗ）で存在する、請求項１に記載の単相水性溶液。
【請求項１０】
単相水性溶液を用いて高分子基体から１つ又は複数のコーティングを除去するための方法１００であって、
水と、無機塩基組成物と、安定した過酸化物組成物及び単糖類塩のうちの１つ又は複数と、界面活性剤組成物とを含み、前記界面活性剤組成物が１つ又は複数のアルキルポリグリコシド又はアルコキシル化アルコールから本質的になる、単相水性溶液を提供すること１０２、
１つ又は複数のコーティングを含む高分子基体を用意すること１０４、及び
前記高分子基体から１つ又は複数のコーティングの一部を除去するのに効果的な条件下で処理混合物を形成するべく前記単相水性溶液と前記高分子基体を接触させること１０６、
を含む、方法。
【請求項１１】
前記高分子基体から１つ又は複数のコーティングの一部を除去するのに効果的な条件が、前記処理混合物を約６０℃〜約１００℃の温度で加熱することを含む、請求項１０に記載の方法。
【請求項１２】
前記高分子フィルムから１つ又は複数のコーティングの一部を除去するのに効果的な条件が、最初のコーティング量を判断すること、前記処理混合物を加熱及び攪拌すること、前記最初のコーティング量の約のパーセンテージよりも少ない処理コーティング量を判断すること、及び前記処理コーティング量が前記最初のコーティング量の約のパーセンテージよりも少ないと判断すると前記高分子フィルムを回収することを含み、前記最初のコーティング量のパーセンテージが、約２０％、約１５％、約１４％、約１３％、約１２％、約１１％、約１０％、約９％、約８％、約７％、約６％、約５％、約４％、約３％、約２％、又は約１％のうちの１つ又は複数である、請求項１０に記載の方法。
【請求項１３】
前記水を、前記高分子基体との約４：１〜約３２：１、約８：１〜約２４：１、約１０：１〜約２０：１、約１２：１〜約１８：１、約１４：１〜約１８：１、約１５：１〜約１７：１、及び約１６：１のうちの１つ又は複数の重量比で提供することを含む、請求項１０に記載の方法。
【請求項１４】
前記無機塩基組成物が水酸化ナトリウムを含む、請求項１０に記載の方法。
【請求項１５】
前記安定した過酸化物組成物が過炭酸ナトリウムを含む、請求項１０に記載の方法。
【請求項１６】
前記界面活性剤組成物が前記１つ又は複数のアルキルポリグリコシドを含み、前記１つ又は複数のアルキルポリグリコシドにおける各アルキルが、ココナッツ油又はパーム核油の脂肪アルコール誘導体及びＣ８〜Ｃ１６アルキルのうちの１つ又は複数から独立して誘導される、請求項１０に記載の方法。
【請求項１７】
前記界面活性剤組成物が、前記１つ又は複数のアルキルポリグリコシドから本質的になる、請求項１０に記載の方法。
【請求項１８】
前記１つ又は複数のコーティングの除去にわたって前記処理混合物を監視することと、前記高分子基体の着色が生じる前に、前記単相水性溶液、前記無機塩基組成物、前記過酸化物組成物、前記単糖類塩、及び前記界面活性剤組成物のうちの１つ又は複数と接触している状態から前記高分子基体を回収することをさらに含む、請求項１０に記載の方法。
【請求項１９】
前記高分子基体が、ポリエチレン（ＰＥ）、低密度ポリエチレン（ＨＤＰＥ）、高密度ポリエチレン（ＨＤＰＥ）、ポリプロピレン（ＰＰ）、二軸配向ポリプロピレン（ＢＯＰＰ）、ポリカーボネート（ＰＣ）、ポリエチレンテレフタレート（ＰＥＴ）、ポリエチレンテレフタレート−グリセロール変性物（ＰＥＴ−Ｇ）、ポリ乳酸（ＰＬＡ）、及びポリスチレン（ＰＳ）のうちの１つ又は複数を含む、請求項１０に記載の方法。
【請求項２０】
高分子基体から１つ又は複数のコーティングを除去するための単相水性溶液を作製するためのキットであって、
無機塩基組成物、安定した過酸化物組成物、単糖類塩、及び１つ又は複数のアルキルポリグリコシド又はアルコキシル化アルコールから本質的になる界面活性剤組成物と、
指示と、
を含み、前記指示が、前記単相水性溶液を形成するべく前記無機塩基組成物、前記安定した過酸化物組成物、前記単糖類塩、及び前記界面活性剤組成物を水と組み合わせるようにユーザを誘導する、
キット。
【請求項２１】
前記指示が、前記処理混合物を加熱すること、前記処理混合物を攪拌すること、前記１つ又は複数のコーティングの一部の除去後に前記高分子基体を回収すること、又は前記単相水性溶液の少なくとも一部を回収することのうちの少なくとも１つによって、前記１つ又は複数のコーティングを含む前記高分子フィルムから前記１つ又は複数のコーティングを除去するように前記ユーザをさらに誘導する、請求項２０に記載のキット。
【国際調査報告】
2017525811.tif 000010